(57)【要約】【課題】インペラの外周に加熱コイルを巻きつけて高周波加熱してシャフトに焼きばめする方法はインペラ全体を加熱するため、複雑な形状のインペラ外周に加熱コイルを巻く手間と時間を浪費し、熱歪も過大に発生する。【解決手段】シャフト３と嵌合するインペラ２の嵌合部２ａのガス出口側を拡口してシャフト３との間隙を有する開口部７を設けると共にガス入口側の嵌合部２ａでシャフト３と嵌合するように設けて、シャフト３とインペラ２が嵌合する部分はインペラ２のガス入口側の嵌合部２ａとし、嵌合時にこの嵌合部２ａのみを加熱すれば入熱が少なくインペラ２をシャフト３に取付けることができる。【選択図】　　　図１
2004060460.tif 000002
【特許請求の範囲】
【請求項１】
ガス入口側にシャフトと嵌合する嵌合部と、ガス出口側にシャフトと間隙を有する開口部と、を備えたことを特徴とする圧縮機のインペラ。
【請求項２】
請求項１の圧縮機のインペラにおいて、前記インペラのガス入口側の前記シャフトと嵌合する嵌合部を加熱し、前記インペラの前記嵌合部に前記シャフトを通貫し、前記圧縮機の前記インペラと前記シャフトを焼きばめすることを特徴とする圧縮機のインペラの取付方法。
【請求項３】
請求項１の圧縮機のインペラにおいて、前記インペラのガス入口側を上方にして組立用の定盤上に設置し、前記ガス入口側の前記シャフトに嵌合する嵌合部を加熱し、上方より前記インペラの前記嵌合部に前記シャフトを通貫し、前記圧縮機の前記インペラと前記シャフトを焼きばめすることを特徴とする圧縮機のインペラの取付方法。
【発明の詳細な説明】
【０００１】
【発明の属する技術分野】
圧縮機のインペラとインペラの取付方法に関する。
【０００２】
【従来の技術】
図３に圧縮機のインペラの斜視図を、図４に従来の技術に係るインペラ加熱要領図を示す。図３において、圧縮機のインペラとシャフトとは複数のインペラ２をシャフト３外周に嵌合・配列して構成されるが、インペラとシャフトとは焼きばめされている（例えば、特開平７−６３１９３号公報（図２）参照。）。
また、図４にインペラを焼きばめするために加熱する従来の加熱部位を示しているが、この方法はインペラ２全体を加熱するため、インペラ２の外周全体に加熱コイル６を巻きつけ又は取付けて高周波加熱している（例えば、特開２０００−１８１９２号公報（図１）参照。）。
【０００３】
【発明が解決しようとする課題】
上記に示すように、インペラ２の外周に加熱コイル６を巻きつけて高周波加熱した後、シャフト３を組込んで焼きばめする方法ではインペラ２全体を加熱するため、複雑な形状のインペラ外周に加熱コイルを巻く手間と時間を浪費する。また、インペラ２全体を加熱するため、熱による歪が過大に発生すると共に、インペラ２をシャフト３に取付ける時にはシャフト３を図示しない専用冶具を設けて垂直に立てシャフト３上部よりインペラ２を嵌合わせ降下させるか、インペラ２を図示しない専用冶具を設けて水平に保ってインペラ２上部よりシャフト３を挿入するかしており、専用冶具と多くの手間がかかる。そこで、本発明はインペラに過熱コイルを巻く部分を一部に限定して組立の手間と熱歪を低減させることを目的とする。
【０００４】
【課題を解決するための手段】
上記課題を解決するために、請求項１に記載の本発明は、圧縮機のインペラに、ガス入口側にシャフトと嵌合する嵌合部と、ガス出口側にシャフトと間隙を有する開口部とを備えたことを特徴とする。
【０００５】
ガス入口側にシャフトと嵌合する嵌合部と、ガス出口側に一部を拡口してシャフトとの間隙を有する開口部とを設けたこの構成によれば、シャフトとインペラが嵌合する部分はインペラのガス入口側の一部分となり、嵌合時にこの部分のみを加熱すればインペラをシャフトに取付けることができる。また、加熱する部分が少なくなり、その結果入熱が減少し、熱による余分な残留応力が少なくなり歪が減少する。ガス出口側の一部を拡口するについてシャフトとインペラが嵌合する残された部分で嵌合固定の強度が損なわれないように寸法が決定される。
【０００６】
上記課題を解決するために、請求項２に記載の本発明の圧縮機のインペラの取付方法は、請求項１の圧縮機のインペラにおいて、前記インペラのガス入口側の前記シャフトに嵌合する嵌合部を加熱し、前記インペラの前記嵌合部に前記シャフトを通貫し、前記圧縮機の前記インペラと前記シャフトを焼きばめすることを特徴とする
【０００７】
上記方法によれば、ガス入口側にシャフトと嵌合する嵌合部と、ガス出口側の一部を拡口してシャフトと間隙を有する開口部とを設け、ガス入口側でシャフトと嵌合するように設けた嵌合部を加熱してシャフトを通貫し、インペラとシャフトを焼きばめすると、加熱する部分が少なくなり、その結果入熱が減少し、熱による余分な残留応力が少なくなり歪が減少する。加熱部分が少なくなり、加熱コイルを巻く作業が減少し、加熱用の電力も省力できる。
【０００８】
上記課題を解決するために、請求項３に記載の本発明の圧縮機のインペラの取付方法は、請求項１の圧縮機のインペラにおいて、前記インペラのガス入口側を上方にして組立用の定盤上に設置し、前記ガス入口側の前記シャフトに嵌合する嵌合部を加熱し、上方より前記インペラの前記嵌合部に前記シャフトを通貫し、前記圧縮機の前記インペラと前記シャフトを焼きばめすることを特徴とする。
【０００９】
ガス入口側にシャフトと嵌合する嵌合部と、ガス出口側の一部を拡口してシャフトとの間隙を有する開口部とを設け、ガス入口側でシャフトと嵌合するように設けた部分を加熱するために、上面が水平に維持された定盤上に加熱部を上にして設置し、シャフトを上位置より挿入すると、インペラを保持する冶具またはシャフトを垂直に保持する冶具が不要になり、取付が容易になる。また、従来必要であった冶具が無くなることにより、インペラの水平調整又はシャフトの垂直調整などの位置調整作業も省力化できる。
【００１０】
【発明の実施の形態】
以下、本発明の実施の形態を図１及び図２に従って詳細に説明する。図１は本発明に係る実施の形態のインペラ断面図を示す。インペラ２のガス入口側を図の上方向に示し、下方向のガス出口側のシャフト３との嵌合する一部分を切欠き拡口した開口部７を下方向に示す。開口部７とシャフト３との隙間は数ｍｍ設けている。上方向のガス入口側のシャフト３との嵌合部２ａは焼きばめ取付後強度が十分保持できるだけの長さを有している。嵌合部２ａは上方向のみにあるので加熱コイルを巻く箇所はガス入口側の嵌合部２ａのみである。
【００１１】
図２は本発明に係る実施の形態のインペラとシャフトの取付手順図を示す。なお、図１及び図２において、同じ構成の部分には同一の符号を付し、それらについての重複する説明は省略する。シャフトが差し込めるに十分な大きさの穴９の開いた床面上の定盤５にインペラ２のガス入口側を上にして設置し、嵌合部２ａ外部に加熱コイル６を巻き付けている。加熱コイル６には高周波加熱電源８より高周波が供給され、インペラ２の嵌合部２ａを外部より加熱している。加熱されたインペラ２は熱により嵌合部２ａの内径が拡張されており、シャフト３を図示しないクレーンで吊り下げてインペラ２上部より降下させるとシャフト３はインペラ２の嵌合部２ａを通過し、定盤５の直下の穴９に通貫し所定の位置で停止させた後、高周波加熱電源８の高周波を遮断して加熱コイル６による加熱を停止させインペラ２の嵌合部２ａを冷却すれば温度が低下して内径が縮小し、インペラ２とシャフト３が嵌合固定されシャフト３にインペラ２が取付けられる。
【００１２】
【発明の効果】
以上説明したように、請求項１の本発明によれば、シャフトとインペラが嵌合する部分はインペラのガス入口側の一部分となり、嵌合時にこの部分のみを加熱すれば加熱する部分が少なくなり、その結果入熱が減少し、熱による余分な残留応力が少なくなり歪が減少する。
【００１３】
また、請求項２の本発明によれば、インペラを加熱する部分が少なくなり、その結果入熱が減少し、熱による余分な残留応力が少なくなり歪が減少する。加熱部分が少なくてすむため、加熱コイルを巻く作業が減少し、加熱用の電力も省力できる。
【００１４】
また、請求項３の本発明によれば、インペラの取付時にインペラを保持する冶具またはシャフトを垂直に保持する冶具が不要になり、取付が容易になる。また、従来必要であった冶具が無くなることにより、インペラの水平調整又はシャフトの垂直調整などの位置調整作業も省力化できる。
【図面の簡単な説明】
【図１】本発明の実施の態様に係るインペラ断面図。
【図２】本発明の実施の態様に係るインペラとシャフトの取付手順図。
【図３】インペラとシャフトの組立図。
【図４】従来の技術に係るインペラ加熱要領図。
【符号の説明】
１…インペラ
２…シャフト
２ａ…嵌合部
３…定盤
７…開口部
【図１】
2004060460.tif 000003
【図２】
2004060460.tif 000004
【図３】
2004060460.tif 000005
【図４】
2004060460.tif 000006